(57)【特許請求の範囲】
【請求項１】
ページと前記ページに対応する境界部分とを複数有する連続紙を重ねて構成した連続重畳紙に印刷可能な印刷装置であって、
前記連続重畳紙を送り、前記連続重畳紙に印刷する送り印刷部と、
前記送り印刷部の印刷位置より紙送り方向下流に設けられており、前記連続重畳紙を前記連続紙の組に分離する分離部と、
前記分離部により分離した第１の組の前記境界部分を切断する第１カッターと、
前記印刷位置から前記第１カッターまでの距離より遠くに設けられており、前記分離部により分離した第２の組の前記境界部分を切断する第２カッターと、を備え、
前記印刷位置にある１のページと前記１のページの紙送り方向下流にある次のページとの境界部分を第１境界部分とし、前記第１境界部分の紙送り方向下流にある次の境界部分を第２境界部分とし、
前記ページあたりのページ長が、前記印刷位置から前記第２カッターまでの距離より大きい場合、
前記第１境界部分が前記第１カッターの位置より紙送り方向上流にあるときは、前記送り印刷部により前記第１カッターまで前記第１境界部分を送り、前記第１カッターにより前記第１境界部分を切断する、印刷装置。
【請求項２】
前記ページあたりのページ長が、前記印刷位置から前記第２カッターまでの距離より大きい場合、
前記第１境界部分が前記第１カッターの位置より紙送り方向下流にあるときは、前記送り印刷部により前記第２カッターまで前記第１境界部分を送り、前記第２カッターにより前記第１境界部分を切断する、請求項１に記載の印刷装置。
【請求項３】
前記ページ長が、前記印刷位置から前記第１カッターまでの距離以上、且つ、前記印刷位置から前記第２カッターまでの距離以下の場合、
前記第１境界部分が前記第１カッターの位置より紙送り方向下流にあるときは、前記送り印刷部により前記第２カッターまで前記第１境界部分を送り、前記第２カッターにより前記第１境界部分を切断し、
前記第１境界部分が前記第１カッターの位置より紙送り方向上流にあるときは、前記送り印刷部により前記第１カッターまで前記第１境界部分を送り、前記第１カッターにより前記第１境界部分を切断し、且つ、前記送り印刷部により前記第２カッターまで前記第２境界部分を送り、前記第２カッターにより前記第２境界部分を切断する、請求項２に記載の印刷装置。
【請求項４】
前記ページ長が、前記印刷位置から前記第１カッターまでの距離より小さい場合、
前記第２境界部分が前記第１カッターの位置より紙送り方向下流にあるときは、前記送り印刷部により前記第１カッターまで前記第１境界部分を送り、前記第１カッターにより前記第１境界部分を切断し、且つ、前記送り印刷部により前記第２カッターまで前記第２境界部分を送り、前記第２カッターにより前記第２境界部分を切断し、
前記第２境界部分が前記第１カッターの位置より紙送り方向上流にあるときは、前記送り印刷部により前記第１カッターまで前記第２境界部分を送り、前記第１カッターにより前記第２境界部分を切断する、請求項３に記載の印刷装置。
【請求項５】
前記送り印刷部による印刷を終えた前記ページが、前記印刷位置にある１のページである、請求項１または２のいずれかに記載の印刷装置。
【請求項６】
前記連続重畳紙は、連続複写紙であることを特徴とする請求項１に記載の印刷装置。
【発明の詳細な説明】
【技術分野】
【０００１】
本発明は、連続紙を間欠送りしつつ、送られていく連続紙に印刷を行う印刷装置および印刷装置の制御方法に関するものである。
【背景技術】
【０００２】
従来、この種の印刷装置として、連続紙（ロール紙）を紙送りする給紙ローラー、紙送りローラーおよび排紙ローラーと、給紙ローラーと紙送りローラーとの間に配置された印刷ヘッドと、印刷ヘッドを紙送り方向に直交する方向に往復動する往復動機構（キャリッジ、タイミングベルトおよびキャリッジモーター）と、紙送りローラーと排紙ローラーとの間に配設されたカッターと、これらを制御する制御部と、を備えたものが知られている（特許文献１参照）。この印刷装置では、印刷ヘッドおよび往復駆動機構の駆動により行う印刷（主走査）と、連続紙の紙送り（副走査）と、を実行することで、連続紙に対し印刷画像を印刷する。また、制御部は、所定量の紙送りを実行する際に、連続紙上の切断位置（仮想ライン）が、カッターの位置に達するか否かを判定し、連続紙上の切断位置がカッターの位置に達すると判定された場合には、連続紙上の切断位置がカッターに達したところで紙送りを停止し、カッターを駆動する。このような制御により、印刷の過程で、連続紙における切断位置での切断を行うことができ、連続紙への切断を、効率良く行うことができるようになっている。
【先行技術文献】
【特許文献】
【０００３】
【特許文献１】特開２００３−８０７７７号公報
【発明の概要】
【発明が解決しようとする課題】
【０００４】
ところで、この種の印刷装置において、複数のページが連なる連続紙を複数枚重畳した連続重畳紙（例えば連続複写紙）を印刷することが求められている。そして、連続重畳紙を印刷する印刷装置について、重畳した連続紙の分離と、各ページの切離しと、を自動的に行いたいという要請がある。すなわち、従来は、連続重畳紙の印刷済み部分に対する分離とページの切離しとを、ユーザーの手で行うが、これを印刷装置側で自動的に行いたいという要請がある。そこで、上記従来の印刷装置に対し、重畳した複数枚の連続紙を複数組に分離する分離部と、分離した第１の組の連続紙を各ページ間の境界部分で切断する第１のカッターと、分離した第２の組の連続紙を各ページ間の境界部分で切断する第２のカッターと、を追加することが考えられる。
しかしながら、このような構成を採用したところ、紙送り実行時の判定処理が複雑になってしまうという問題が生じた。すなわち、上記したように、所定量の紙送りを実行する際、連続紙上の切断位置が、カッターの位置に達するか否かを判定する必要があるが、切断位置である各ページ間の境界部分は複数箇所存在し、カッターについても複数存在する。つまり、分離した複数の組の連続紙を切断対象とし且つ各ページ間の境界部分を切断する構成であるため、これに伴って、判定対象となる切断位置とカッターとの組合せが多くなり、その結果、判定処理に複雑になってしまうという問題が生じた。このように判定処理が複雑になってしまうと、判定処理の処理負荷が大きくなり、また判定処理の処理時間が長くなってしまう。
【０００５】
本発明は、このような問題を鑑み、印刷の過程で連続重畳紙に対し切断処理を施す構成について、ページ間の境界部分が切断部に到達したか否かを判定する判定処理を簡易化することができる印刷装置および印刷装置の制御方法を提供することを課題としている。
【課題を解決するための手段】
【０００６】
本発明の印刷装置は、複数のページが連なる連続紙を複数枚重畳して成る連続重畳紙を印刷対象とする印刷装置であって、連続重畳紙を間欠送りしつつ、送られていく連続重畳紙に印刷を行う送り印刷部と、送り印刷部による印刷位置の紙送り方向下流側に配設され、送られていく連続重畳紙における複数枚の連続紙を、複数組に分離する分離部と、分離した第１の組の連続紙を、複数のページの境界部分で切断する第１の切断部と、分離した第２の組の連続紙を、複数のページの境界部分で切断する第２の切断部と、送り印刷部、第１の切断部および第２の切断部を制御する制御部と、を備え、制御部は、間欠送りにおける各紙送りにおいて、各境界部分が各切断部に到達するか否かを判定する判定ステップと、判定の結果、境界部分が切断部に到達すると判定された境界部分と切断部との組合せについて、その境界部分がその切断部に到達するところで紙送りを停止し、その切断部を駆動する切断ステップと、を実行し、判定ステップでは、印刷位置から第１の切断部までの送り距離、印刷位置から第２の切断部までの送り距離、およびページの紙長に基づいて、判定対象とする境界部分と切断部との組合せを限定することを特徴とする。
【０００７】
本発明の印刷装置の制御方法は、複数のページが連なる連続紙を複数枚重畳して成る連続重畳紙を印刷対象とする印刷装置にあって、連続重畳紙を間欠送りしつつ、送られていく連続重畳紙に印刷を行う送り印刷部と、送り印刷部による印刷位置の紙送り方向下流側に配設され、送られていく連続重畳紙における複数枚の連続紙を、複数組に分離する分離部と、分離した第１の組の連続紙を、複数のページの境界部分で切断する第１の切断部と、分離した第２の組の連続紙を、複数のページの境界部分で切断する第２の切断部と、を備えた印刷装置の制御方法であって、間欠送りにおける各紙送りにおいて、各境界部分が各切断部に到達するか否かを判定する判定ステップと、判定の結果、境界部分が切断部に到達すると判定された境界部分と切断部との組合せについて、その境界部分がその切断部に到達するところで紙送りを停止し、その切断部を駆動する切断ステップと、を実行し、判定ステップでは、印刷位置から第１の切断部までの送り距離、印刷位置から第２の切断部までの送り距離、およびページの紙長に基づいて、判定対象とする境界部分と切断部との組合せを限定することを特徴とする。
【０００８】
これらの構成によれば、印刷位置から第１の切断部までの送り距離、印刷位置から第２の切断部までの送り距離、およびページの紙長に基づいて、判定処理（判定ステップ）における判定対象を限定する構成であるため、判定処理における判定対象を少なくすることができる。よって、印刷の過程で連続重畳紙に対し切断処理を施す構成について、ページ間の境界部分が切断部に到達したか否かを判定する判定処理を簡易化することができる。これによって、判定処理の処理負荷および処理時間の増加を抑制することができる。
【０００９】
この場合、印刷位置から第１の切断部までの送り距離、印刷位置から第２の切断部までの送り距離およびページの紙長に加え、現在印刷中のページと１つ前のページとの境界部分である第１境界部分と第１の切断部との位置関係、および第１境界部分の１つ前の境界部分である第２境界部分と第１の切断部との位置関係に基づいて、判定対象とする境界部分と切断部との組合せを限定することを特徴とすることが好ましい。
【００１０】
この場合、第２の切断部は、印刷位置からの送り距離が第１の切断部よりも遠い位置に配設され、判定ステップでは、ページの紙長が、印刷位置から第２の切断部までの送り距離により大きい場合、第１境界部分が第１の切断部の位置を超えた状態であるときには、第１境界部分と第２の切断部との組合せのみを判定対象とし、第１境界部分が第１の切断部の位置を超えた状態でないときには、第１境界部分と第１の切断部との組合せのみを判定対象とし、ページの紙長が、印刷位置から第１の切断部までの送り距離以上且つ印刷位置から第２の切断部までの送り距離以下の場合、第１境界部分が第１の切断部の位置を超えた状態であるときには、第１境界部分と第２の切断部との組合せのみを判定対象とし、第１境界部分が第１の切断部の位置を超えた状態でないときには、第１境界部分と第１の切断部との組合せ、および第２境界部分と第２の切断部との組合せのみを判定対象とし、ページの紙長が、印刷位置から第１の切断部までの送り距離より小さい場合、第２境界部分が第１の切断部の位置を超えた状態であるときには、第１境界部分と第１の切断部との組合せ、および第２境界部分と第２の切断部との組合せのみを判定対象とし、第２境界部分が第１の切断部の位置を超えた状態でないときには、第２境界部分と第１の切断部との組合せのみを判定対象とすることが好ましい。
【００１１】
これらの構成によれば、判定処理における判定対象をより少なくすることができる。よって、判定処理をより簡易化することができ、判定処理の処理負荷および処理時間の増加をより抑制することができる。
【００１２】
この場合、制御部は、印刷終了後において、印刷済みのページに係る各境界部分を切断する印刷後切断ステップを、更に実行し、印刷後切断ステップでは、印刷位置から第１の切断部までの送り距離、印刷位置から第２の切断部までの送り距離、およびページの紙長に基づいて、切断を行う境界部分と切断部との組合せを限定することが好ましい。
【００１３】
印刷位置から第１の切断部までの送り距離、印刷位置から第２の切断部までの送り距離、およびページの紙長によって、印刷終了時に、どの境界部分が切断されていないか、が変化する。
これに対し、上記の構成によれば、これらの情報に基づいて、切断対象（切断を行う境界部分と切断部との組合せ）を限定することで、印刷終了後について、未切断の境界部分に対してのみ切断処理を行うことができる。これによって、印刷終了後の切断処理（印刷後切断ステップ）を効率良く行うことができる。
【００１４】
一方、連続重畳紙は、連続複写紙であることが好ましい。
【００１５】
この構成によれば、連続複写紙の複写印刷の過程において、連続複写紙の印刷済み部分に対する分離と各ページの切離しとを行うことができる。
【図面の簡単な説明】
【００１６】
【図１】印刷対象となる連続複写紙を示した平面図である。
【図２】印刷対象となる連続複写紙を示した側面図である。
【図３】本発明の一実施形態に係る印刷装置の内部構成を示した模式図である。
【図４】印刷装置の内部構成を示したブロック図である。
【図５】紙送り動作の前半部を示したフローチャートである。
【図６】紙送り動作の後半部を示したフローチャートである。
【図７】判定対象設定処理を示したフローチャートである。
【図８】ページ長がヘッド第２カッター間距離より大きい場合における、各境界部分と各カッターとの位置関係を示した図である。
【図９】ページ長がヘッド第１カッター間距離以上である且つ第２カッター間距離以下である場合における、各境界部分と各カッターとの位置関係を示した図である。
【図１０】ページ長がヘッド第１カッター間距離より小さい場合における、各境界部分と各カッターとの位置関係を示した図である。
【発明を実施するための形態】
【００１７】
以下、添付の図面を参照し、本発明の一実施形態に係る印刷装置および印刷装置の制御方法について説明する。この印刷装置は、連続複写紙（連続重畳紙）を印刷対象とし、連続複写紙に対し、シリアル印刷形式で印刷を行うものである。ここで、印刷装置について詳しく説明する前に、印刷対象となる連続複写紙について説明する。
【００１８】
図１および図２に示すように、連続複写紙Ｓは、複数のページＰが紙送り方向である紙長方向に連なる連続紙Ｓ１を複数枚重畳して構成される。別の言い方をすれば、連続複写紙Ｓは、複数の複写紙が紙長方向に連なる構成となる。よって、表面側の１枚目の連続紙Ｓ１のページに印刷した内容が、それに重畳した連続紙Ｓ１のページＰに複写される構成となる。また、複数の連続紙Ｓ１における各ページＰは、同一の寸法である。そして、複数のページＰ間の境界部分には、ページ分断用のミシン目Ｒが形成される。なお、連続紙Ｓ１の紙長方向を、各ページＰの紙長方向とし、連続紙Ｓ１の紙幅方向を、各ページＰの紙幅方向とする。
【００１９】
次に図３および図４を参照して、印刷装置１について説明する。図３および図４に示すように、印刷装置１は、連続複写紙Ｓに対し印刷を施しつつ、重畳した連続紙Ｓ１の分離と、各ページＰの切離しとを行うものである。具体的には、印刷装置１は、連続複写紙Ｓを送り経路Ｃに沿って送りつつ、送られていく連続複写紙Ｓに印刷を行う送り印刷部１１と、送り印刷部１１による印刷位置Ｐ１の紙送り方向下流側に配設され、送られていく連続複写紙Ｓの複数枚の連続紙Ｓ１を２組に分離する分離部１２と、分離部１２により分離した一方の組の連続紙Ｓ１を切断する第１カッター１３（第１の切断部）と、分離部１２により分離した他方の組の連続紙Ｓ１を切断する第２カッター１４（第２の切断部）と、これらを覆うと共に、給紙口１５ａおよび２つの排紙口１５ｂを有する装置カバー１５と、を備える。すなわち、本実施形態では、送り経路Ｃが、給紙口１５ａに連なる本経路Ｃ１と、本経路Ｃ１から二手に分岐し、各排紙口１５ｂに連なる第１分岐経路Ｃ２および第２分岐経路Ｃ３から成る。また、図３では省略するが、印刷装置１は、通信インターフェース１６と、記憶部１７と、制御部１８と、を備える。
【００２０】
送り印刷部１１は、印刷ヘッド３１を有する印刷ユニット２１と、本経路Ｃ１上に配設され、印刷ヘッド３１に対峙するプラテンローラー２２と、各分岐経路Ｃ２、Ｃ３上に配設され、プラテンローラー２２と共に、連続複写紙Ｓの紙送りを行う第１排紙ローラー２３および第２排紙ローラー２４と、を備える。また、送り印刷部１１は、プラテンローラー２２の回転量を検出する回転検出センサー２５と、連続複写紙Ｓの先端検出を行う先端検出センサー２６と、を備える。
【００２１】
印刷ユニット２１は、インパクトドット方式で印刷を行う印刷ヘッド３１と、印刷ヘッド３１を紙送り方向と直交する方向（紙幅方向）に往復動する往復動機構３２と、を備える。印刷ユニット２１は、往復動機構３２により印刷ヘッド３１を往動もしくは復動しながら、印刷ヘッド３１を駆動することで、印刷ヘッド３１の往動または復動に伴う印刷処理（主走査）を行う。これによって、印刷ヘッド３１の印刷幅分の印刷を行う。
【００２２】
プラテンローラー２２は、印刷ヘッド３１に対峙するプラテンとして機能すると共に、第１排紙ローラー２３および第２排紙ローラー２４と同期回転して、連続複写紙Ｓの紙送りを行う。すなわち、プラテンローラー２２および各排紙ローラー２３、２４は、送り経路Ｃに沿って、連続複写紙Ｓをその紙長さ方向に紙送りする。
【００２３】
そして、本実施形態では、上記の印刷ヘッド３１の往動または復動に伴う印刷処理（主走査）と、プラテンローラー２２および各排紙ローラー２３、２４による連続複写紙Ｓの間欠送り（副走査）と、を実行することで、連続複写紙Ｓの各ページＰに対し印刷を行う。すなわち、本実施形態では、シリアル印刷形式で連続複写紙Ｓに対する印刷を行う構成を有する。
【００２４】
一方、分離部１２は、連続複写紙Ｓの紙送りに伴い、送られていく連続複写紙Ｓについて、重畳した複数枚の連続紙Ｓ１を２組に分離する。具体的には、分離部１２は、連続複写紙Ｓを、表面側の１枚目の連続紙Ｓ１から成る第１の組と、それ以外の連続紙Ｓ１から成る第２の組と、に分離する。例えば、お客様控え用の用紙のみを、大本の連続複写紙Ｓから分離する構成となる。ここで分離された第１の組の連続紙Ｓ１は、第１排紙ローラー２３により第１分岐経路Ｃ２に沿って送られ、第２の組の連続紙Ｓ１は、第２排紙ローラー２４により第２分岐経路Ｃ３に沿って送られる。各排紙ローラー２３、２４は、プラテンローラー２２と同期回転するため、本経路Ｃ１上での連続複写紙Ｓの紙送りと、各分岐経路Ｃ２、Ｃ３上での各組の連続紙Ｓ１の紙送りとは、同速且つ一体として行われる。
【００２５】
第１カッター１３は、第１分岐経路Ｃ２上に配設され、分離部１２により分離した第１の組の連続紙Ｓ１（表面側の１枚目の連続紙Ｓ１）に対し切断処理を施す。具体的には、第１カッター１３は、第１の組の連続紙Ｓ１における複数のページの境界部分（ミシン目Ｒ）を切断する。これによって、第１の組の連続紙Ｓ１における各ページＰを切り離す構成を有する。第１カッター１３は、例えば、固定刃と可動刃とを有するハサミ式のカッターと、これを駆動するカッターモーターとで構成される。
【００２６】
第２カッター１４は、第２分岐経路Ｃ３上に配設され、分離部１２により分離した第２の組の連続紙Ｓ１（表面側の１枚目以外の連続紙Ｓ１）に対し切断処理を施す。具体的には、第２カッター１４は、第２の組の連続紙Ｓ１における複数のページＰの境界部分（ミシン目Ｒ）を切断する。これによって、第２の組の連続紙Ｓ１における各ページＰを切り離す構成を有する。また、第２カッター１４は、送り印刷部１１による印刷位置Ｐ１からの送り距離が、第１カッター１３より遠い位置に配設される。第２カッター１４は、第１カッター１３と同様、例えば、固定刃と可動刃とを有するハサミ式のカッターと、これを駆動するカッターモーターとで構成される。
【００２７】
通信インターフェース１６は、図外のホスト装置とのデータ通信を行うものである。通信インターフェース１６は、主に、ホスト装置から、印刷データを受信するのに用いられる。
【００２８】
記憶部１７は、フラッシュＲＯＭ等で構成され、印刷装置１の制御に係る各種データを記憶する。具体的には、記憶部１７は、ヘッド第１カッター間距離情報と、ヘッド第２カッター間距離情報と、ページ長情報と、トップマージン情報と、を記憶する。ヘッド第１カッター間距離情報は、上記印刷位置Ｐ１から第１カッター１３の位置までの送り距離の情報である。また、ヘッド第２カッター間距離は、上記印刷位置Ｐ１から第２カッター１４の位置までの送り距離の情報である。さらに、ページ長情報は、ページＰの紙長（紙長方向の寸法）の情報である。またさらに、トップマージン情報は、ページＰにおける、前端から印刷開始位置までの余白（トップマージン）の長さの情報である。以下、印刷位置Ｐ１から第１カッター１３の位置までの送り距離を、「ヘッド第１カッター間距離」と呼称し、印刷位置Ｐ１から第２カッター１４の位置までの送り距離を、「ヘッド第２カッター間距離」と呼称する。また、ページＰの紙長を、「ページ長」と呼称し、前端から印刷開始位置までの余白の長さを、「トップマージン長」を呼称する。なお、ページ長およびトップマージン長は、予めユーザーによって設定されたものを、ページ長情報およびトップマージン情報として記憶するものとする。
【００２９】
制御部１８は、ＣＰＵ（Central  Processing  Unit）、ＲＡＭ（Random  Access  Memory）、ＲＯＭ（Read  Only  Memory）等を有し、印刷装置１を統括制御する。そして、制御部１８は、送り印刷部１１、第１カッター１３および第２カッター１４を制御し、通信インターフェース１６で受信した印刷データに基づいて、印刷動作を行う。
【００３０】
印刷動作では、上記の印刷ヘッド３１の往動または復動に伴う印刷処理（主走査）と、プラテンローラー２２および各排紙ローラー２３、２４による連続複写紙Ｓの間欠送り（副走査）と、を実行することで、連続複写紙Ｓの各ページに対する印刷を行う。すなわち、プラテンローラー２２および各排紙ローラー２３、２４によって連続複写紙Ｓの間欠送りを行いつつ、間欠送りにおける各停止時において、印刷ユニット２１による上記印刷処理を行うことで、各ページＰに対する印刷を実行する。
【００３１】
そして、本実施形態では、印刷動作の過程で連続複写紙Ｓに対する切断処理を行うべく、当該間欠送りの各紙送り（改行送りおよび改ページ送り等）において、切断処理を実行する。すなわち、当該各紙送りにおいて、複数のページＰの各境界部分が各カッター１３、１４の位置に到達するか否かを判定し（判定ステップ）、判定の結果、境界部分がカッター１３、１４に到達すると判定された境界部分とカッター１３、１４との組合せについて、その境界部分がそのカッター１３、１４に到達するところで当該紙送りを停止し、そのカッター１３、１４を駆動する（切断ステップ）。例えば、現在印刷中のページＰとその一つ前のページＰとの境界部分（以下、第１境界部分と呼称）が、第１カッター１３に到達すると判定された場合には、第１境界部分が第１カッター１３に到達するところで紙送りを停止し、第１カッター１３を駆動する。また、例えば、第１境界部分の１つ前の境界部分（以下、第２境界部分と呼称）が、第２カッター１４に到達すると判定された場合には、第２境界部分が第２カッター１４に到達するところで紙送りを停止し、第２カッター１４を駆動する。
【００３２】
ところで、上記判定処理（判定ステップ）において、連続複写紙Ｓの全ての境界部分が、各カッター１３、１４に到達するか否かを判定すると、判定処理の処理負荷および処理時間が増大してしまう。そこで、本実施形態では、上記判定処理において、各種データに基づいて、判定対象となる境界部分とカッター１３、１４との組合せを限定する。
具体的には、ヘッド第１カッター間距離、ヘッド第２カッター間距離およびページ長、そして、現在の第１境界部分の位置と第１カッター１３の位置との位置関係、および現在の第２境界部分の位置と第１カッター１４の位置との位置関係に基づいて、判定対象となる境界部分とカッターとの組合せを限定する。
【００３３】
ここで、間欠送り時の各紙送りにおける処理についてより詳しく説明すべく、図５および図６を参照して、制御部１８により実行される各紙送り時の紙送り動作について説明する。この紙送り動作は、印刷動作の間欠送りにおける各紙送り時に実行される動作であり、要求送り量分、連続複写紙Ｓの紙送りを行う動作である。なお、本紙送り動作では、指定送り量Ｍ、第１送り距離Ｌ１、第２送り距離Ｌ２、第１切断フラグＦ１、第２切断フラグＦ２および累積送り量Ｎを、変数として用いるものとする。また、以下、要求送り量を「Ａ」とし、ヘッド第１カッター間距離を「Ｄ１」とし、ヘッド第２カッター間距離を「Ｄ２」とし、ページ長を「Ｄ３」とし、現在の第１境界部分の位置を「Ｄ４」とし、現在の第２境界部分の位置を「Ｄ５」として説明する。
なお、以下の紙送り動作において、ヘッド第１カッター間距離Ｄ１、ヘッド第２カッター間距離Ｄ２およびページ長Ｄ３は、記憶部１７に記憶されたヘッド第１カッター間距離情報、ヘッド第２カッター間情報およびページ長情報から得られたものを用いる。また、現在の第１境界部分の位置Ｄ４および現在の第２境界部分の位置Ｄ５は、先端検出センサー２６、回転検出センサー２５およびページ長Ｄ３に基づいて得られたものを用いると共に、印刷位置Ｐ１を０（ゼロ）基準とした位置（すなわち印刷位置Ｐ１から各位置までの送り距離）を用いるものとする。
【００３４】
図５および図６に示すように、紙送り動作では、まず、累積送り量Ｎを、「０（ゼロ）」に初期化すると共に、指定送り量Ｍを、上記要求送り量Ａにする（Ｓ１）。そして、判定処理における判定対象を限定する判定対象設定処理を実行する（Ｓ２）。
【００３５】
図７に示すように、判定対象実行処理では、まず、ページ長Ｄ３が、ヘッド第２カッター間距離Ｄ２より大きいか否かを判定する（Ｓ３）。ページ長Ｄ３が、ヘッド第２カッター間距離Ｄ２より大きいと判定された場合（Ｓ３：Ｙｅｓ）には、現在の第１境界部分の位置Ｄ４が、ヘッド第１カッター間距離Ｄ１を超えた状態であるか否かを判定する（Ｓ４）。すなわち、現在の第１境界部分の位置Ｄ４が、第１カッター１３の位置を超えた状態である否かを判定する。そして、現在の第１境界部分の位置Ｄ４が、ヘッド第１カッター間距離Ｄ１を超えた状態であると判定された場合（Ｓ４：Ｙｅｓ）、第１境界部分と第２カッター１４との組合せを判定対象に設定し（Ｓ５）、本判定対象設定処理を終了する。すなわち、ページ長Ｄ３が、ヘッド第２カッター間距離Ｄ２より大きい場合で、現在の第１境界部分の位置Ｄ４が第１カッター１３の位置を超えた状態であるときには、図８に示すように、第１境界部分が第１カッター１３に到達する可能性、第２境界部分が第１カッター１３に到達する可能性、および第２境界部分が第２カッター１４に到達する可能性がないため、第１境界部分と第２カッター１４との組合せのみを判定対象とする。
【００３６】
一方、Ｓ４で、現在の第１境界部分の位置Ｄ４が、ヘッド第１カッター間距離Ｄ１を超えた状態でないと判定された場合（Ｓ４：Ｎｏ）、第１境界部分と第１カッター１３との組合せを判定対象に設定し（Ｓ６）、本判定対象設定処理を終了する。すなわち、ページ長Ｄ３が、ヘッド第２カッター間距離Ｄ２より大きい場合で、現在の第１境界部分の位置Ｄ４が第１カッター１３の位置を超えた状態でないときには、図８に示すように、第１境界部分が第２カッター１４に到達する可能性、第２境界部分が第１カッター１３に到達する可能性、および第２境界部分が第２カッター１４に到達する可能性がないため、第１境界部分と第１カッター１３との組合せのみを判定対象とする。
【００３７】
Ｓ３に戻り、ページ長Ｄ３が、ヘッド第２カッター間距離Ｄ２より大きくないと判定された場合（Ｓ３：Ｎｏ）には、ページ長Ｄ３が、ヘッド第１カッター間距離Ｄ１より小さいか否かを判定する（Ｓ７）。そして、ページ長Ｄ３が、ヘッド第１カッター間距離Ｄ１より小さいと判定された場合（Ｓ７：Ｙｅｓ）、現在の第２境界部分の位置Ｄ５が、ヘッド第１カッター間距離Ｄ１を超えた状態であるか否かを判定する（Ｓ８）。すなわち、現在の第２境界部分の位置Ｄ５が、第１カッター１３の位置を超えた状態である否かを判定する。現在の第２境界部分の位置Ｄ５が、ヘッド第１カッター間距離Ｄ１を超えた状態であると判定された場合（Ｓ８：Ｙｅｓ）、第１境界部分と第１カッター１３との組合せを判定対象とし（Ｓ９）、また第２境界部分と第２カッター１４との組合せを判定対象に設定して（Ｓ１０）、本判定対象設定処理を終了する。すなわち、ページ長Ｄ３が、ヘッド第１カッター間距離Ｄ１より小さい場合で、現在の第２境界部分の位置Ｄ５が、第１カッター１３の位置を超えた状態であるときには、図９に示すように、第１境界部分が第２カッター１４に到達する可能性、および第２境界部分が第１カッター１３に到達する可能性がないため、第１境界部分と第１カッター１３との組合せ、および第２境界部分と第２カッター１４との組合せのみを判定対象とする。
【００３８】
一方、Ｓ８で、現在の第２境界部分の位置Ｄ５が、ヘッド第１カッター間距離Ｄ１を超えた状態でないと判定された場合（Ｓ８：Ｎｏ）、第２境界部分と第１カッター１３との組合せを判定対象に設定し（Ｓ１１）、本判定対象設定処理を終了する。すなわち、ページ長Ｄ３が、ヘッド第１カッター間距離Ｄ１より小さい場合で、現在の第２境界部分の位置Ｄ５が、第１カッター１３の位置を超えた状態でないときには、図９に示すように、第１境界部分が第１カッター１３に到達する可能性、第１境界部分が第２カッター１４に到達する可能性、および第２境界部分が第２カッター１４に到達する可能性がないため、第２境界部分と第１カッター１３との組合せのみを判定対象とする。
【００３９】
Ｓ７に戻り、ページ長Ｄ３が、ヘッド第１カッター間距離Ｄ１より小さくないと判定された場合（Ｓ７：Ｎｏ）には、現在の第１境界部分の位置Ｄ４が、ヘッド第１カッター間距離Ｄ１を超えた状態である否かを判定する（Ｓ１２）。すなわち、現在の第１境界部分の位置Ｄ４が、第１カッター１３の位置を超えた状態であるか否かを判定する。そして、現在の第１境界部分の位置Ｄ４が、ヘッド第１カッター間距離Ｄ１を超えた状態であると判定された場合（Ｓ１２：Ｙｅｓ）、第１境界部分と第２カッター１４との組合せを判定対象に設定し（Ｓ１３）、本判定対象設定処理を終了する。すなわち、ページ長Ｄ３が、ヘッド第１カッター間距離Ｄ１以上であり且つヘッド第２カッター間距離Ｄ２以下である場合で、現在の第１境界部分の位置Ｄ４が、第１カッター１３の位置を超えた状態であるときには、図１０に示すように、第１境界部分が第１カッター１３に到達する可能性、第２境界部分が第１カッター１３に到達する可能性、および第２境界部分が第２カッター１４に到達する可能性がないため、第１境界部分と第２カッター１４との組合せのみを判定対象とする。
【００４０】
一方、Ｓ１２で、現在の第１境界部分の位置Ｄ４が、ヘッド第１カッター間距離Ｄ１を超えた状態でないと判定された場合（Ｓ１２：Ｎｏ）、第１境界部分と第１カッター１３との組合せを判定対象に設定し（Ｓ１４）、また第２境界部分と第２カッター１４との組合せを判定対象に設定して（Ｓ１５）、本判定対象設定処理を終了する。すなわち、ページ長Ｄ３が、ヘッド第２カッター間距離Ｄ２以下であり且つヘッド第１カッター間距離Ｄ１以上である場合で、現在の第１境界部分の位置Ｄ４が、第１カッター１３の位置を超えた状態でないときには、図１０に示すように、第１境界部分が第２カッター１４に到達する可能性、および第２境界部分が第１カッター１３に到達する可能性がないため、第１境界部分と第１カッター１３との組合せ、および第２境界部分と第２カッター１４との組合せのみを判定対象とする。
【００４１】
図５および図６に戻り、判定対象設定処理を終了したら、第１送り距離Ｌ１および第２送り距離Ｌ２を「０（ゼロ）」に設定し（Ｓ１６）、第１切断フラグＦ１および第２切断フラグＦ２を、切断「無」を示す値（「０（ゼロ）」）に設定する（Ｓ１７）。すなわち、これらの変数を初期化する。
【００４２】
その後、第１カッター１３に係る判定処理を実行する。具体的には、まず、第１境界部分と第１カッター１３との組合せが、判定対象に設定された状態であるか否かを判定する（Ｓ１８）。第１境界部分と第１カッター１３との組合せが、判定対象に設定された状態であると判定された場合（Ｓ１８：Ｙｅｓ）には、現在の第１境界部分の位置Ｄ４に指定送り量Ｍを加えた算出値が、ヘッド第１カッター間距離Ｄ１以上であるか否かを判定する（Ｓ１９）。すなわち、指定送り量Ｍ分の紙送りしたときに、第１境界部分が第１カッター１３に到達するか否かを判定する。上記算出値が、ヘッド第１カッター間距離Ｄ１以上であると判定された場合（Ｓ１９：Ｙｅｓ）には、第１送り距離Ｌ１を、ヘッド第１カッター間距離Ｄ１から現在の第１境界部分の位置Ｄ４を引いた値にする（Ｓ２０）。すなわち、第１送り距離Ｌ１を、第１境界部分が第１カッター１３に到達する送り距離にする。一方、上記算出値が、ヘッド第１カッター間距離Ｄ１以上でないと判定された場合（Ｓ１９：Ｎｏ）には、第１送り距離Ｌ１の設定をキャンセルし、次の工程に移行する。
【００４３】
一方、Ｓ１８で、第１境界部分と第１カッター１３との組合せが、判定対象に設定された状態でないと判定された場合（Ｓ１８：Ｎｏ）には、第２境界部分と第１カッター１３との組合せが、判定対象に設定された状態であるか否かを判定する（Ｓ２１）。第２境界部分と第１カッター１３との組合せが、判定対象に設定された状態であると判定された場合（Ｓ２１：Ｙｅｓ）には、現在の第２境界部分の位置Ｄ５に指定送り量Ｍを加えた算出値が、ヘッド第１カッター間距離Ｄ１以上であるか否かを判定する（Ｓ２２）。すなわち、指定送り量Ｍ分の紙送りしたときに、第２境界部分が第１カッター１３に到達するか否かを判定する。上記算出値が、ヘッド第１カッター間距離Ｄ１以上であると判定された場合（Ｓ２２：Ｙｅｓ）には、第１送り距離Ｌ１を、ヘッド第１カッター間距離Ｄ１から現在の第２境界部分の位置Ｄ５を引いた値にする（Ｓ２３）。すなわち、第１送り距離Ｌ１を、第２境界部分が第１カッター１３に到達する送り距離にする。一方、上記算出値が、ヘッド第１カッター間距離Ｄ１以上でないと判定された場合（Ｓ２２：Ｎｏ）には、第１送り距離Ｌ１の設定のキャンセルし、次の工程に移行する。また、Ｓ２１で、第２境界部分と第１カッター１３との組合せが、判定対象に設定された状態でないと判定された場合（Ｓ２１：Ｎｏ）には、各判定処理を行わずに、次の工程に移行する。
【００４４】
第１カッター１３に係る判定処理が終了したら、第２カッター１４に係る判定処理を実行する。具体的には、まず、第１境界部分と第２カッター１４との組合せが、判定対象に設定された状態であるか否かを判定する（Ｓ２４）。第１境界部分と第２カッター１４との組合せが、判定対象に設定された状態であると判定された場合（Ｓ２４：Ｙｅｓ）には、現在の第１境界部分の位置Ｄ４に指定送り量Ｍを加えた算出値が、ヘッド第２カッター間距離Ｄ２以上であるか否かを判定する（Ｓ２５）。すなわち、指定送り量Ｍ分の紙送りをしたときに、第１境界部分が第２カッター１４に到達するか否かを判定する。上記算出値が、ヘッド第２カッター間距離Ｄ２以上であると判定された場合（Ｓ２５：Ｙｅｓ）には、第２送り距離Ｌ２を、ヘッド第２カッター間距離Ｄ２から現在の第１境界部分の位置Ｄ４を引いた値にする（Ｓ２６）。すなわち、第２送り距離Ｌ２を、第１境界部分が第２カッター１４に到達する送り距離にする。一方、上記算出値が、ヘッド第２カッター間距離Ｄ２以上でないと判定された場合（Ｓ２５：Ｎｏ）には、第２送り距離Ｌ２の設定をキャンセルし、次の工程に移行する。
【００４５】
一方、Ｓ２４で、第１境界部分と第２カッター１４との組合せが、判定対象に設定された状態でないと判定された場合（Ｓ２４：Ｎｏ）には、第２境界部分と第２カッター１４との組合せが、判定対象に設定された状態であるか否かを判定する（Ｓ２７）。第２境界部分と第２カッター１４との組合せが、判定対象に設定された状態であると判定された場合（Ｓ２７：Ｙｅｓ）には、現在の第２境界部分の位置Ｄ５に指定送り量Ｍを加えた算出値が、ヘッド第２カッター間距離Ｄ２以上であるか否かを判定する（Ｓ２８）。すなわち、指定送り量Ｍ分の紙送りしたときに、第２境界部分が第２カッター１４に到達するか否かを判定する。上記算出値が、ヘッド第２カッター間距離Ｄ２以上であると判定された場合（Ｓ２８：Ｙｅｓ）には、第２送り距離Ｌ２を、ヘッド第２カッター間距離Ｄ２から現在の第２境界部分の位置Ｄ５を引いた値にする（Ｓ２９）。すなわち、第２送り距離Ｌ２を、第２境界部分が第２カッター１４に到達する送り距離にする。一方、上記算出値が、ヘッド第２カッター間距離Ｄ２以上でないと判定された場合（Ｓ２８：Ｎｏ）には、第２送り距離Ｌ２の設定をキャンセルし、次の工程に移行する。また、Ｓ２７で、第２境界部分と第２カッター１４との組合せが、判定対象に設定された状態でないと判定された場合（Ｓ２７：Ｎｏ）には、各判定処理を行わずに、次の工程に移行する。
【００４６】
第２カッター１４に係る判定処理が終了したら、各判定処理の判定結果に基づいて、実際に紙送りする指定送り量Ｍの設定と、第１切断フラグＦ１および第２切断フラグＦ２の設定とを行う。具体的には、まず、第１送り距離Ｌ１が、「０（ゼロ）」より大きいか否かを判定する（Ｓ３０）。第１送り距離Ｌ１が、「０（ゼロ）」より大きくないと判定された場合（Ｓ３０：Ｎｏ）には、第２送り距離Ｌ２が、「０（ゼロ）」より大きいか否かを判定する（Ｓ３１）。ここで、第２送り距離Ｌ２が、「０（ゼロ）」より大きいと判定された場合（Ｓ３１：Ｙｅｓ）には、指定送り量Ｍを第２送り距離Ｌ２にし（Ｓ３２）、第２切断フラグＦ２を切断「有」を示す値（「１」）にして（Ｓ３３）、次の工程に移行する。一方、ここで、第２送り距離Ｌ２が、「０（ゼロ）」より大きくないと判定された場合（Ｓ３１：Ｎｏ）には、各設定を行わずに、次の工程に移行する。
【００４７】
Ｓ３０に戻り、第１送り距離Ｌ１が、「０（ゼロ）」より大きいと判定された場合（Ｓ３０：Ｙｅｓ）には、第２送り距離Ｌ２が、「０（ゼロ）」より大きいか否かを判定する（Ｓ３４）。ここで、第２送り距離Ｌ２が、「０（ゼロ）」より大きくないと判定された場合（Ｓ３４：Ｎｏ）には、指定送り量Ｍを第１送り距離Ｌ１にし（Ｓ３５）、第１切断フラグＦ１を切断「有」を示す値（「１」）にして（Ｓ３６）、次の工程に移行する。
【００４８】
一方、ここで、第２送り距離Ｌ２が、「０（ゼロ）」より大きいと判定された場合（Ｓ３４：Ｙｅｓ）には、第１送り距離Ｌ１が、第２送り距離Ｌ２より小さいか、第２送り距離Ｌ２と同値であるか、第２送り距離Ｌ２より大きいか、を判定する（Ｓ３７）。第１送り距離Ｌ１が、第２送り距離Ｌ２より小さいと判定された場合（Ｓ３７：Ａ）には、指定送り量Ｍを第１送り距離Ｌ１にし（Ｓ３８）、第１切断フラグＦ１を切断「有」を示す値（「１」）にして（Ｓ３９）、次の工程に移行する。また、第１送り距離Ｌ１が、第２送り距離Ｌ２と同値であると判定された場合（Ｓ３７：Ｂ）には、指定送り量Ｍを第１送り距離Ｌ１にし（Ｓ４０）、第１切断フラグＦ１および第２切断フラグＦ２を切断「有」を示す値（「１」）にして（Ｓ４１）、次の工程に移行する。さらに、第１送り距離Ｌ１が、第２送り距離Ｌ２より大きいと判定された場合（Ｓ３７：Ｃ）、指定送り量Ｍを第２送り距離Ｌ２にし（Ｓ４２）、第２切断フラグＦ２を切断「有」を示す値（「１」）にして（Ｓ４３）、次の工程に移行する。
【００４９】
指定送り量Ｍの設定および各切断フラグＦ１、Ｆ２の設定が終了したら、設定した指定送り量Ｍに基づいて、連続複写紙Ｓの紙送りを実行する（Ｓ４４）。すなわち、指定送り量Ｍ分だけ、連続複写紙Ｓを紙送りする。指定送り量Ｍ分の紙送りが終了したら、設定した各切断フラグＦ１、Ｆ２に基づいて、各カッター１３、１４を駆動する。すなわち、第１切断フラグＦ１が、切断「有」を示す値（「１」）である否かを判定し（Ｓ４５）、第１切断フラグＦ１が、切断「有」を示す値（「１」）であると判定された場合（Ｓ４５：Ｙｅｓ）、第１カッター１３を駆動し（Ｓ４６）、第１切断フラグＦ１が、切断「有」を示す値（「１」）でないと判定された場合（Ｓ４５：ＮＯ）には、第１カッター１３を駆動せずに、次の工程に移行する。その後、第２切断フラグＦ２が、切断「有」を示す値（「１」）である否かを判定し（Ｓ４７）、第２切断フラグＦ２が、切断「有」を示す値（「１」）であると判定された場合（Ｓ４７：Ｙｅｓ）、第２カッター１４を駆動し（Ｓ４８）、第２切断フラグＦ２が、切断「有」を示す値（「１」）でないと判定された場合（Ｓ４７：Ｎｏ）には、第２カッター１４を駆動せずに、次の工程に移行する。
【００５０】
連続複写紙Ｓの紙送りおよびカッター１３、１４の駆動が終了したら、累積送り量Ｎに、指定送り量Ｍを加算し（Ｓ４９）、累積送り量Ｎが、要求送り量Ａと同値であるか否かを判定する（Ｓ５０）。累積送り量Ｎが、要求送り量Ａと同値でないと判定された場合（Ｓ５０：Ｎｏ）には、判定対象設定処理（Ｓ２）に戻り、累積送り量Ｎが要求送り量Ａになるまで、一連の処理を繰り返す。一方、累積送り量Ｎが、要求送り量Ａと同値であると判定された場合（Ｓ５０：Ｙｅｓ）には、本紙送り動作を終了する。
【００５１】
ところで、本実施形態では、上記したように、紙送り動作によって、複数のページＰを連続して印刷する過程で、分離した各組の連続紙Ｓ１における各境界部分を切断していく構成となるが、当該印刷が終了した時、印刷済みのページに係る境界部分について、未切断の境界部分が生じることになる。そこで、本実施形態では、制御部１８により、印刷動作終了時で、ホスト装置から次の印刷データを所定時間受信しなかった時において、印刷済みのページに係る未切断の境界部分を切断する（印刷後切断ステップ）。このとき、どの境界部分が未切断の状態であるかは、ヘッド第１カッター間距離Ｄ１、ヘッド第２カッター間距離Ｄ２およびページ長Ｄ３によって異なる。そのため、本実施形態では、ヘッド第１カッター間距離Ｄ１、ヘッド第２カッター間距離Ｄ２およびページ長Ｄ３に基づいて、切断対象（切断を行う境界部分とカッター１３、１４との組合せ）を限定する構成を有する。厳密には、本実施形態では、印刷動作終了時において、次のページＰの印刷開始位置が印刷位置Ｐ１に到達した状態となるため、ヘッド第１カッター間距離Ｄ１およびヘッド第２カッター間距離Ｄ２に加え、ページ長Ｄ３とトップマージン長との合計値に基づいて、切断対象を限定する。なお、これらの情報は、記憶部１７に記憶されたヘッド第１カッター間距離情報、ヘッド第２カッター間距離情報、ページ長情報およびトップマージン情報から得るものとする。
【００５２】
具体的には、ページ長Ｄ３とトップマージン長との合計値が、ヘッド第１カッター間距離Ｄ１より小さい場合には、第１境界部分と第１カッター１３との組合せ、第１境界部分と第２カッター１４との組合せ、直前に印刷したページＰと次のページＰとの境界部分（以下、第０境界部分と呼称）と第１カッター１３との組合せ、および第０境界部分と第２カッター１４との組合せのみを、切断対象とする。すなわち、まず、第１境界部分が第１カッター１３に到達するまで連続複写紙Ｓを紙送りし、第１カッター１３を駆動する。その後、第１境界部分が第２カッター１４に到達するまで連続複写紙Ｓを紙送りし、第２カッター１４を駆動する。その後、第０境界部分が第１カッター１３に到達するまで連続複写紙Ｓを紙送りし、第１カッター１３を駆動する。その後、第０境界部分が第２カッター１４に到達するまで連続複写紙Ｓを紙送りし、第２カッター１４を駆動する。
【００５３】
一方、ページ長Ｄ３とトップマージン長との合計値が、ヘッド第１カッター間距離Ｄ１より大きく且つヘッド第２カッター間距離Ｄ２より小さい場合には、第１境界部分と第２カッター１４との組合せ、第０境界部分と第１カッター１３との組合せ、および第０境界部分と第２カッター１４との組合せのみを、切断対象とする。すなわち、まず、第１境界部分が第２カッター１４に到達するまで連続複写紙Ｓを紙送りし、第２カッター１４を駆動する。その後、第０境界部分が第１カッター１３に到達するまで連続複写紙Ｓを紙送りし、第１カッター１３を駆動する。その後、第０境界部分が第２カッター１４に到達するまで連続複写紙Ｓを紙送りし、第２カッター１４を駆動する。
【００５４】
また、ページ長Ｄ３とトップマージン長との合計値が、ヘッド第２カッター間距離Ｄ２より大きい場合には、第０境界部分と第１カッター１３との組合せ、および第０境界部分と第２カッター１４との組合せのみを、切断対象とする。すなわち、まず、第０境界部分が第１カッター１３に到達するまで連続複写紙Ｓを紙送りし、第１カッター１３を駆動する。その後、第０境界部分が第２カッター１４に到達するまで連続複写紙Ｓを紙送りし、第２カッター１４を駆動する。
【００５５】
以上、実施形態の構成によれば、ヘッド第１カッター間距離Ｄ１、ヘッド第２カッター間距離Ｄ２、およびページ長Ｄ３に基づいて、判定処理（判定ステップ）における判定対象を限定する構成であるため、判定処理における判定対象を少なくすることができる。よって、印刷の過程で連続複写紙Ｓに対し切断処理を施す構成について、ページＰ間の境界部分がカッター１３、１４に到達したか否かを判定する判定処理を簡易化することができる。これによって、判定処理の処理負荷および処理時間の増加を抑制することができる。
【００５６】
また、ヘッド第１カッター間距離Ｄ１、ヘッド第２カッター間距離Ｄ２、およびページ長Ｄ３に加え、第１境界部分と第１カッター１３との位置関係、および第２境界部分と第１カッター１３との位置関係に基づいて、判定対象を限定する構成であるため、判定処理における判定対象をより少なくすることができる。よって、判定処理をより簡易化することができ、判定処理の処理負荷および処理時間の増加をより抑制することができる。
【００５７】
さらに、ヘッド第１カッター間距離Ｄ１、ヘッド第２カッター間距離Ｄ２およびページ長Ｄ３に基づいて、印刷終了後に行う切断処理の切断対象（切断を行う境界部分とカッター１３、１４との組合せ）を限定する構成であるため、印刷終了後について、未切断の境界部分に対してのみ切断処理を行うことができる。これによって、印刷終了後の切断処理（印刷後切断ステップ）を効率良く行うことができる。
【００５８】
なお、上記実施形態においては、ヘッド第１カッター間距離Ｄ１、ヘッド第２カッター間距離Ｄ２、およびページ長Ｄ３に加え、第１境界部分と第１カッター１３との位置関係、および第２境界部分と第１カッター１３との位置関係に基づいて、判定対象を限定する構成としたが、ヘッド第１カッター間距離Ｄ１、ヘッド第２カッター間距離Ｄ２、およびページ長Ｄ３のみに基づいて、判定対象を限定する構成でも良い。
【００５９】
また、上記実施形態においては、印刷装置１が、分離部１２および各カッター１３、１４を内蔵する構成としたが、分離部１２および各カッター１３、１４を搭載した分離切断ユニットを、装置本体に外付けする構成でも良い。すなわち、印刷装置１が、装置本体と、装置本体に取り付けた分離切断ユニットと、を備えた構成となる。
【００６０】
さらに、上記実施形態において、連続複写紙Ｓは、ロール紙でも良いし、ファンフォールド紙（折りたたみ紙）でも良い。
【００６１】
また、上記実施形態において、重畳した複数枚の連続紙Ｓ１を２組に分離する構成としたが、重畳した複数枚の連続紙Ｓ１を３組以上に分離する構成でも良い。かかる場合、そのうちの２組を、上記第１の組および第２の組とし、上記実施形態の構成を適用することが考えられる。
【符号の説明】
【００６２】
１…印刷装置、１１…送り印刷部、１２…分離部、１３…第１カッター、１４…第２カッター、１８…制御部、Ｄ１…ヘッド第１カッター間距離、Ｄ２…ヘッド第２カッター間距離、Ｄ３…ページ長、Ｄ４…現在の第１境界部分の位置、Ｄ５…現在の第２境界部分の位置、Ｐ…ページ、Ｓ…連続複写紙、Ｓ１…連続紙
【図１】
0006589488.tif 000002
【図２】
0006589488.tif 000003
【図３】
0006589488.tif 000004
【図４】
0006589488.tif 000005
【図５】
0006589488.tif 000006
【図６】
0006589488.tif 000007
【図７】
0006589488.tif 000008
【図８】
0006589488.tif 000009
【図９】
0006589488.tif 000010
【図１０】
0006589488.tif 000011